(57)【要約】【課題】通話開始時のレスポンスを改善すること。【解決手段】制御部１０７は、ＰＣＨを同じページングエリアに属する基地局装置とともに一斉に送信し、ＢＣＣＨとＩＲＣＨを同じページングエリアに属する基地局装置と異なる送信タイミングで個別に送信してＬＣＣＨを構成する。制御部１０７は、端末装置からＴＣＣＨを受信すると、端末装置に対してＩＲＣＨを送信する。その際、別の周波数帯が指定される。また、制御部１０７は、別の周波数帯において、２回目のＴＣＣＨを受信し、ＲＣＨを送信した後、ＳＣＣＨを送受信することによって、端末装置にＴＣＨを割り当てる。【選択図】図８
2008294489.tif 000002
【特許請求の範囲】
【請求項１】
周期的に配置された報知信号の間のそれぞれに、端末装置からのレンジング要求を受信すべきタイミングと、レンジング要求に対応したレンジング応答を送信すべきタイミングとを配置しており、報知信号を受信した端末装置からのレンジング要求を受信すると、レンジング応答を送信するレンジング処理部と、
前記レンジング処理部において、報知信号、レンジング要求、レンジング応答を配置している周波数帯とは異なった周波数帯にて、レンジング応答を送信した端末装置に対するチャネル割当の処理を実行する割当部と、
前記割当部におけるチャネルの割当後、端末装置との通信を実行する通信部と、
を備えることを特徴とする基地局装置。
【請求項２】
前記レンジング処理部は、報知信号として、本基地局装置に関する情報を報知するための情報信号と、端末装置への着信を通知するための呼出信号とのいずれかを配置することを特徴とする請求項１に記載の基地局装置。
【請求項３】
端末装置への着信を通知するための呼出信号の後段に、本基地局装置に関する情報を報知するための情報信号が配置されるとともに、情報信号の後段に、端末装置からのレンジング要求を受信すべきタイミングと、レンジング要求に対応したレンジング応答を送信すべきタイミングとが配置された組合せを周期的に繰り返すように規定しており、情報信号を受信した端末装置からのレンジング要求を受信すると、レンジング応答を送信するレンジング処理部と、
前記レンジング処理部において組合せを配置している周波数帯とは異なった周波数帯にて、レンジング応答を送信した端末装置に対するチャネル割当の処理を実行する割当部と、
前記割当部におけるチャネルの割当後、端末装置との通信を実行する通信部とを備え、
前記レンジング処理部は、一斉呼出エリア内の他の基地局装置と共通のタイミングにて呼出信号を報知し、一斉呼出エリア内の他の基地局装置と時分割多重されたタイミングにて情報信号の報知、レンジング要求の受信、レンジング応答の送信を実行することを特徴とする基地局装置。
【請求項４】
前記レンジング処理部は、端末装置からのレンジング要求を受信すると、レンジング応答を送信するようなレンジング処理を複数回数繰り返し実行するとともに、端末装置からのレンジング要求を初回に受信すべきタイミングを予め規定しており、端末装置からのレンジング要求を２回目以降に受信すべきタイミングを前回のレンジング応答にて規定することを特徴とする請求項１から３のいずれかに記載の基地局装置。
【請求項５】
周期的に配置された報知信号の間のそれぞれに、端末装置からのレンジング要求を受信すべきタイミングと、レンジング要求に対応したレンジング応答を送信すべきタイミングとを配置しており、報知信号を受信した端末装置からのレンジング要求を受信すると、レンジング応答を送信するステップと、
報知信号、レンジング要求、レンジング応答を配置している周波数帯とは異なった周波数帯にて、レンジング応答を送信した端末装置に対するチャネル割当の処理を実行するステップと、
チャネルの割当後、端末装置との通信を実行するステップと、
を備えることを特徴とする通信方法。
【請求項６】
端末装置への着信を通知するための呼出信号の後段に、本基地局装置に関する情報を報知するための情報信号が配置されるとともに、情報信号の後段に、端末装置からのレンジング要求を受信すべきタイミングと、レンジング要求に対応したレンジング応答を送信すべきタイミングとが配置された組合せを周期的に繰り返すように規定しており、情報信号を受信した端末装置からのレンジング要求を受信すると、レンジング応答を送信するステップと、
組合せを配置している周波数帯とは異なった周波数帯にて、レンジング応答を送信した端末装置に対するチャネル割当の処理を実行するステップと、
チャネルの割当後、端末装置との通信を実行するステップとを備え、
前記レンジング応答を送信するステップは、一斉呼出エリア内の他の基地局装置と共通のタイミングにて呼出信号を報知し、一斉呼出エリア内の他の基地局装置と時分割多重されたタイミングにて情報信号の報知、レンジング要求の受信、レンジング応答の送信を実行することを特徴とする通信方法。
【請求項７】
周期的に配置された報知信号の間のそれぞれに、端末装置からのレンジング要求を受信すべきタイミングと、レンジング要求に対応したレンジング応答を送信すべきタイミングとを配置しており、報知信号を受信した端末装置からのレンジング要求を受信すると、レンジング応答を送信するステップと、
報知信号、レンジング要求、レンジング応答を配置している周波数帯とは異なった周波数帯にて、レンジング応答を送信した端末装置に対するチャネル割当の処理を実行するステップと、
チャネルの割当後、端末装置との通信を実行するステップと、
をコンピュータに実行するためのプログラム。
【請求項８】
端末装置への着信を通知するための呼出信号の後段に、本基地局装置に関する情報を報知するための情報信号が配置されるとともに、情報信号の後段に、端末装置からのレンジング要求を受信すべきタイミングと、レンジング要求に対応したレンジング応答を送信すべきタイミングとが配置された組合せを周期的に繰り返すように規定しており、情報信号を受信した端末装置からのレンジング要求を受信すると、レンジング応答を送信するステップと、
組合せを配置している周波数帯とは異なった周波数帯にて、レンジング応答を送信した端末装置に対するチャネル割当の処理を実行するステップと、
チャネルの割当後、端末装置との通信を実行するステップとを備え、
前記レンジング応答を送信するステップは、一斉呼出エリア内の他の基地局装置と共通のタイミングにて呼出信号を報知し、一斉呼出エリア内の他の基地局装置と時分割多重されたタイミングにて情報信号の報知、レンジング要求の受信、レンジング応答の送信をコンピュータに実行するためのプログラム。
【発明の詳細な説明】
【技術分野】
【０００１】
本発明は、無線通信技術に関し、特に通信すべき端末装置にチャネルを割り当てる通信方法およびそれを利用した基地局装置に関する。
【背景技術】
【０００２】
第二世代コードレス電話システムのような移動体通信システムにおいては、図１に示すような論理制御チャネル（以下、「ＬＣＣＨ」という）が規定されており、基地局装置（ＣＳ：Ｃｅｌｌ  Ｓｔａｔｉｏｎ）は、通信の単位となるタイムスロットを端末装置（ＰＳ：Ｐｅｒｓｏｎａｌ  Ｓｔａｔｉｏｎ）に割り当てることによって、通信を実行する。従来の論理制御チャネルは、群分け数が８の場合、１つのシステム情報のスタートを示す報知用チャネル（以下、「ＢＣＣＨ」という）、８つの着信情報チャネル（以下、「ＰＣＨ」という）、３つのチャネル割当制御チャネル（以下、「ＳＣＣＨ」という）の合計１２のチャネルから構成され、基地局装置は、それぞれのチャネルを２０フレーム間隔で間欠的に送信している（例えば、非特許文献１参照）。また、下段に示すように、ひとつのフレームは、８つのタイムスロットにて構成されている。
【非特許文献１】ＡＲＩＢ  ＳＴＡＮＤＡＲＤ  ＲＣＲ  ＳＴＤ−２８−１「第二世代コードレス電話システム標準規格」，４．１版，（１／２分冊）
【発明の開示】
【発明が解決しようとする課題】
【０００３】
従来のＬＣＣＨの構成では、ＢＣＣＨの送信周期が１２００ｍｓであり、ＳＣＣＨの送受信周期が３００ｍｓである。また、ＢＣＣＨの送信周期は、端末装置における基地局装置の補足の迅速性に関連し、ＳＣＣＨの送受信周期は、チャネル割当の迅速性に関連する。通話開始時のレスポンスを向上させるためには、基地局装置の捕捉を早くするとともに、チャネル割当を早くすることが望まれる。
【０００４】
本発明はこのような状況に鑑みてなされたものであり、通話開始時のレスポンスを改善する技術を提供することを目的とする。
【課題を解決するための手段】
【０００５】
上記課題を解決するために、本発明のある態様の基地局装置は、周期的に配置された報知信号の間のそれぞれに、端末装置からのレンジング要求を受信すべきタイミングと、レンジング要求に対応したレンジング応答を送信すべきタイミングとを配置しており、報知信号を受信した端末装置からのレンジング要求を受信すると、レンジング応答を送信するレンジング処理部と、レンジング処理部において、報知信号、レンジング要求、レンジング応答を配置している周波数帯とは異なった周波数帯にて、レンジング応答を送信した端末装置に対するチャネル割当の処理を実行する割当部と、割当部におけるチャネルの割当後、端末装置との通信を実行する通信部と、を備える。
【０００６】
本発明の別の態様もまた、基地局装置である。この装置は、端末装置への着信を通知するための呼出信号の後段に、本基地局装置に関する情報を報知するための情報信号が配置されるとともに、情報信号の後段に、端末装置からのレンジング要求を受信すべきタイミングと、レンジング要求に対応したレンジング応答を送信すべきタイミングとが配置された組合せを周期的に繰り返すように規定しており、情報信号を受信した端末装置からのレンジング要求を受信すると、レンジング応答を送信するレンジング処理部と、レンジング処理部において組合せを配置している周波数帯とは異なった周波数帯にて、レンジング応答を送信した端末装置に対するチャネル割当の処理を実行する割当部と、割当部におけるチャネルの割当後、端末装置との通信を実行する通信部とを備える。レンジング処理部は、一斉呼出エリア内の他の基地局装置と共通のタイミングにて呼出信号を報知し、一斉呼出エリア内の他の基地局装置と時分割多重されたタイミングにて情報信号の報知、レンジング要求の受信、レンジング応答の送信を実行する。
【０００７】
本発明のさらに別の態様は、通信方法である。この方法は、周期的に配置された報知信号の間のそれぞれに、端末装置からのレンジング要求を受信すべきタイミングと、レンジング要求に対応したレンジング応答を送信すべきタイミングとを配置しており、報知信号を受信した端末装置からのレンジング要求を受信すると、レンジング応答を送信するステップと、報知信号、レンジング要求、レンジング応答を配置している周波数帯とは異なった周波数帯にて、レンジング応答を送信した端末装置に対するチャネル割当の処理を実行するステップと、チャネルの割当後、端末装置との通信を実行するステップと、を備える。
【０００８】
本発明のさらに別の態様もまた、通信方法である。この方法は、端末装置への着信を通知するための呼出信号の後段に、本基地局装置に関する情報を報知するための情報信号が配置されるとともに、情報信号の後段に、端末装置からのレンジング要求を受信すべきタイミングと、レンジング要求に対応したレンジング応答を送信すべきタイミングとが配置された組合せを周期的に繰り返すように規定しており、情報信号を受信した端末装置からのレンジング要求を受信すると、レンジング応答を送信するステップと、組合せを配置している周波数帯とは異なった周波数帯にて、レンジング応答を送信した端末装置に対するチャネル割当の処理を実行するステップと、チャネルの割当後、端末装置との通信を実行するステップとを備える。レンジング応答を送信するステップは、一斉呼出エリア内の他の基地局装置と共通のタイミングにて呼出信号を報知し、一斉呼出エリア内の他の基地局装置と時分割多重されたタイミングにて情報信号の報知、レンジング要求の受信、レンジング応答の送信を実行する。
【０００９】
本発明のさらに別の態様も、基地局装置である。この装置は、制御情報を送信する送信部を備え、前記送信部は、前記制御情報のうち端末装置に着信を知らせる着信情報を、同じエリアに属する他の基地局装置の同じ送信タイミングで送信するとともに、前記制御情報のうちシステム情報のスタートを示す報知情報とチャネル割り当て制御情報とを、同じエリアに属する他の基地局装置と異なる送信タイミングで送信し、前記着信情報、前記報知情報、前記チャネル割り当て制御情報の順にグループ化し、前記グループごとに繰り返し送信することをその要旨とする。
【００１０】
本発明のさらに別の態様も、基地局装置である。この装置は、複数のタイムスロットのうち第１タイムスロットを用いて、制御情報を送受信する第１送受信部と、前記複数のタイムスロットのうち第２タイムスロットを端末装置に割り当てる割当部と、前記割り当てた端末装置とデータを送受信する第２送受信部と、レンジングを実行する実行部とを備え、前記割当部は、前記第１送受信部で複数の端末装置からレンジング要求を受理すると、前記複数の端末装置にひとつの第２タイムスロットを割り当て、前記実行部は、前記割り当てたひとつの第２タイムスロットにおいて前記複数の端末装置にレンジングを実行することをその要旨とする。
【００１１】
本発明のさらに別の態様も、基地局装置である。この装置は、複数のタイムスロットのうち第１タイムスロットを用いて、制御情報を送受信する第１送受信部と、前記複数のタイムスロットのうち第２タイムスロットを端末装置に割り当てる割当部と、前記割り当てた端末装置とデータを送受信する第２送受信部と、レンジングを実行する実行部とを備え、前記割当部は、前記第１送受信部で複数の端末装置からレンジング要求を受理すると、前記複数の端末装置にそれぞれに第２タイムスロットを割り当て、前記実行部は、前記端末装置が割り当てた第２タイムスロットごとにレンジングを実行することをその要旨とする。
【００１２】
本発明のさらに別の態様も、基地局装置である。この装置は、制御情報を送信する送信部を備え、送信部は、前記制御情報のうちチャネル割り当て制御情報をひとつおきに送信するとともに、前記チャネル割り当て制御情報を送信しないタイミングでは、前記制御情報のうちシステム情報のスタートを示す報知情報と、端末装置に着信を知らせる第１着信情報および第２着信情報とを順次繰り返し送信することをその要旨とする。
【００１３】
なお、以上の構成要素の任意の組合せ、本発明の表現を方法、装置、システム、記録媒体、コンピュータプログラムなどの間で変換したものもまた、本発明の態様として有効である。
【発明の効果】
【００１４】
本発明によれば、通話開始時のレスポンスを改善できる。
【発明を実施するための最良の形態】
【００１５】
（第１の実施の形態）
本発明の第１の実施の形態は、第二世代コードレス電話システムのように、ＴＤＭＡ−ＴＤＤ（Ｔｉｍｅ  Ｄｉｖｉｓｉｏｎ  Ｍｕｌｔｉｐｌｅ  Ａｃｃｅｓｓ−Ｔｉｍｅ  Ｄｉｖｉｓｉｏｎ  Ｄｕｐｌｅｘ）方式により複数の端末装置を接続する基地局装置である。図２は、複数の基地局装置で構成されるページングエリアの概念図を示す。図２には第１基地局装置（図中、ＣＳ１と表示）から第８基地局装置（図中、ＣＳ８と表示）が含まれている。図２には、各基地局装置によって形成されるサービスエリアを実線楕円で示す。図２には、第１基地局装置から第４基地局装置で構成されるページングエリア（図中、ＰＡ１と表示）と第５基地局装置から第８基地局装置で構成されるページングエリア（図中、ＰＡ２と表示）が含まれる。ページングエリアでは、位置登録のため一斉の呼び出しがなされる。
【００１６】
図３（ａ）は、本発明の第１の実施の形態における論理制御チャネルであるＬＣＣＨの構成を示す図である。図中、「ＩＲＣＨ」はチャネル割当時に用いる初期レンジング用チャネルであり、機能的には図１における「ＳＣＣＨ」に相当するチャネルとしてもよい。さらに、詳しく説明すると、図３（ａ）に示された「ＩＲＣＨ」の中には、「ＴＣＣＨ」と「ＩＲＣＨ」とが含まれており、「ＴＣＣＨ」は、端末装置から基地局装置へ送信される初期レンジングの要求に相当する。また、「ＩＲＣＨ」は、当該初期レンジングの要求に対する応答に相当する。そのため、「ＴＣＣＨ」は、上り回線の信号であり、「ＩＲＣＨ」は、下り回線の信号である。なお、端末装置からのＴＣＣＨを受信した基地局装置は、レンジングの処理を実行するが、レンジングの処理は公知の技術でよいので、ここでは、説明を省略する。
【００１７】
図３（ａ）に示すひとつのＬＣＣＨは、８つのＰＣＨ、８つのＢＣＣＨ、８つのＩＲＣＨの合計２４のチャネルにより構成される。ＰＣＨは１つのＴＤＭＡフレーム（以下、「フレーム」という）に配置され、ＢＣＣＨとＩＲＣＨは８つのフレームに配置される。図３（ａ）では、便宜上、ＰＣＨ、ＢＣＣＨ、ＩＲＣＨが配置されたフレームも「ＰＣＨ」、「ＢＣＣＨ」、「ＩＲＣＨ」と示される。また、後述のごとく、フレームは複数のタイムスロットに分割されるが、ここでは、タイムスロットの単位、フレームの単位、８フレームの単位のそれぞれに対して区別せずに、「ＰＣＨ」、「ＢＣＣＨ」、「ＩＲＣＨ」という用語を使用する。また、ひとつのＬＣＣＨに含まれる８つのＰＣＨにおいて着信通知される端末装置は、一般的に異なる。
【００１８】
図３（ｂ）にＰＣＨの構成を示す。図３（ｂ）は、ひとつのフレームの構成を示しており、図示のごとく８つのタイムスロットにて構成されている。また、上り回線の４つのタイムスロットが前半の４つに配置され、下り回線の４つのタイムスロットが後半の４つに配置される。図中、「ＰＡ１」は図２で対応するページングエリアＰＡ１に含まれる第１基地局装置から第４基地局装置までの全ての基地局装置がＰＣＨを一斉に送信していることを表す。つまり、同一のページングエリアに含まれる基地局装置は、同一のタイムスロットにおいて、同一内容のＰＣＨを送信する。このようなタイムスロットは、予め定められているものとする。なお、ＰＣＨに含まれる情報については後述する。「ＰＡ２」も同様である。前述のごとく、ひとつのフレームには、４つの下り回線のタイムスロットが含まれているので、最大４つのページングエリアが、それぞれ別のタイムスロットを使用することによって多重化される。
【００１９】
図３（ｃ）にＢＣＣＨとＩＲＣＨの構成を示す。図２のＣＳ１は、ＰＣＨを送信したタイムスロットとフレーム先頭からの位置が同じタイムスロット（図中、ＣＳ１と表示）で、ＢＣＣＨおよびＩＲＣＨを８フレーム間隔で間欠的に送信する。図２の同じページングエリアに属するＣＳ２は、ＣＳ１が送信した次のフレーム（図中、第２フレーム）のタイムスロットのうち、ＰＣＨを送信したタイムスロットとフレーム先頭からの位置が同じタイムスロット（図中、ＣＳ２と表示）で、ＢＣＣＨおよびＩＲＣＨを８フレーム間隔で間欠的に送信する。
【００２０】
なお、異なるページングエリアに属する基地局装置（図２のＣＳ４からＣＳ８）は、フレームを構成するタイムスロットのうち、ページングエリアＰＡ１に属する基地局装置が利用している次のタイムスロットで、ＢＣＣＨとＩＲＣＨの間欠的な送信を行う。つまり、ＢＣＣＨとＩＲＣＨとは対応づけられている。このような構成により、ページングエリアは４つ、各ページングエリアに属する基地局装置は８つ、最大３２の基地局装置まで多重することができる。つまり、図３（ｂ）のごとく、各タイムスロットとページングエリアとが対応づけられると、当該対応づけにしたがいながら、各ページングエリアに含まれた複数の基地局装置が、異なったフレームにおいてＢＣＣＨおよびＩＲＣＨを送信する。ここで、同一のページングエリアに含まれる複数の基地局装置は、各基地局装置に付与された識別番号の順に、使用すべきフレームを特定する。
【００２１】
また、ＩＲＣＨが配置されるフレームにおける上り回線のタイムスロットには、前述のごとく、端末装置から基地局装置に送信されるＴＣＣＨが配置される。前述したＩＲＣＨの配置より、ＴＣＣＨのあて先となる基地局装置は、タイムスロットによって特定される。例えば、図示のごとく、下り回線の１番目のタイムスロットが、ＩＲＣＨを送信するためにＣＳ１に割り当てられているとすれば、「ＴＣＣＨ」と示された上り回線の１番目のタイムスロットにて、ＣＳ１へのＴＣＣＨが送信される。
【００２２】
図３に示すＬＣＣＨと図１に示す従来のＬＣＣＨとを比較すると、ＢＣＣＨ送信周期は８５ｍｓであり、基地局装置の捕捉に必要な時間が短縮されている。また、ＩＲＣＨの送受信周期は８５ｍｓであり、チャネル割当の所要時間も短縮されている。このため、従来のＬＣＣＨを用いるのに比べ、通話開始に要する時間を改善することができることから、利用者の利便性を向上させることができ、基地局装置間での高速なハンドオーバを実現することが可能となる。
【００２３】
図４は、ＴＤＭＡフレームの構成を示す。第１の実施の形態に係る通信システムでは、第二世代コードレス電話システムと同様、図４に示すように、上り通信（端末装置から基地局装置）について４つのタイムスロット、下り通信（基地局装置から端末装置）について４つのタイムスロットによってフレームが構成され、さらにフレームが連続して配置されている。本実施の形態においては上り通信と下り通信は対称であるため、以下においては、説明の便宜上、送信側を基地局装置とし、受信側を端末装置とする下り通信のみ説明を行う。なお、図４に示したフレームの構成は、図３（ｂ）−（ｃ）に示されたフレームの構成に対応する。
【００２４】
基地局装置は、これまで説明したＴＤＭＡに加えて、さらに図５に示すように、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）も適用し、一つのタイムスロットに複数の端末装置を割り当てる。図５は横軸の方向に時間軸上のタイムスロットの配置を示し、縦軸の方向に周波数軸上のサブチャネルの配置を示す。すなわち、横軸の多重化がＴＤＭＡに相当し、縦軸の多重化がＯＦＤＭＡに相当する。図５には１フレームにおける第１タイムスロット（図中、Ｔ１と表示）から第４タイムスロット（図中、Ｔ４と表示）が含まれている。例えば、図５のＴ１からＴ４は、図４の第５タイムスロットから第８タイムスロットにそれぞれ相当する。
【００２５】
また、図５には各タイムスロットにおける第１サブチャネル（図中、ＳＣ１と表示）から第１６サブチャネル（図中、ＳＣ１６と表示）が含まれている。図５では第１タイムスロットの第２サブチャネルに端末装置Ａが、第２タイムスロットの第２サブチャネルから第４サブチャネルに端末装置Ｂが、第３タイムスロットの第１６サブチャネルに端末装置Ｃが、そして第４タイムスロットの第１３サブチャネルから第１５サブチャネルに端末装置Ｄがそれぞれ割り当てられている。また、図５では第１サブチャネルを制御チャネル専用サブチャネルとして確保しており、図中では第１タイムスロットの第１サブチャネルに割り当てた制御チャネルを第１基地局装置が使用している。つまり、ＳＣ１だけに着目したときのフレームの構成、および複数のフレームの集合が、ＬＣＣＨに相当する。
【００２６】
図６は、図５においてタイムスロットとサブチャネルで特定される無線チャネル（以下、サブチャネルブロック）の構成を示す概念図である。図６の横方向は、時間軸であり、縦方向は、周波数軸を示している。「１」から「２９」の番号は、サブキャリアの番号を示す。このようにサブチャネルは、ＯＦＤＭのマルチキャリア信号によって構成されている。図中、「ＴＳ」は、トレーニングシンボルに相当し、図示しない同期検出用のシンボル「ＳＴＳ」、伝送路特性の推定用シンボル「ＬＴＳ」等の既知信号を含む。「ＧＳ」は、ガードシンボルに相当し、ここに実効的な信号は配置されない。「ＰＳ」はパイロットシンボルに相当し、既知信号によって構成される。「ＳＳ」はシグナルシンボルに相当し、制御用の信号が配置される。「ＤＳ」はデータシンボルに相当し、送信すべきデータである。「ＧＴ」はガードタイムに相当し、実効的な信号は配置されない。
【００２７】
図７は、本発明の第１の実施の形態における移動体通信システム２０の構成を示す概念図である。移動体通信システム２０は基地局装置１と端末装置２を含む。図７では端末装置２で総称される第１端末装置２ａ、第２端末装置２ｂおよび第３端末装置２ｃの３台を図示しているが、２台以下、もしくは４台以上の端末装置が存在してもよい。また、基地局装置１が、図２に示された基地局装置のいずれかに相当する。
【００２８】
図８は、図７の基地局装置１の構成を示す概念図である。基地局装置１は、アンテナ１００、無線部１０１、送信部１０２、変調部１０３、受信部１０４、復調部１０５、ＩＦ部１０６、制御部１０７を含み、制御部１０７は、レンジング処理部１１０、割当部１１２を含む。図８において、アンテナ１００は、無線周波数の信号を送受信する。ここで、無線周波数の信号は、図４から図６に対応する。無線部１０１は、受信処理として、アンテナ１００で受信した無線周波数の信号を周波数変換し、ベースバンド信号を導出し、受信部１０４に出力する。また、無線部１０１は、送信処理として、送信部１０２からのベースバンド信号を周波数変換し、無線周波数の信号を導出し、アンテナ１００に出力する。ベースバンド信号は、一般的に、同相成分と直交成分とによって形成されるので、ふたつの信号線が図示されるべきであるが、図を明瞭にするために、ここでは、ひとつの信号線のみを示すものとする。
【００２９】
送信部１０２は、変調部１０３から送られてきた周波数領域信号を時間領域信号に変換し、無線部１０１に出力する。なお、周波数領域信号から時間領域信号への変換にはＩＦＦＴ（Ｉｎｖｅｒｓｅｄ  Ｆａｓｔ  Ｆｏｕｒｉｅｒ  Ｔｒａｎｓｆｏｒｍ）を利用する。変調部１０３は、ＩＦ部１０６からの入力に対して変調を行い、送信部１０２に出力する。変調方式としては、ＢＰＳＫ（Ｂｉｎａｒｙ  Ｐｈａｓｅ  Ｓｈｉｆｔ  Ｋｅｙｉｎｇ）、ＱＰＳＫ（Ｑｕａｄｒａｔｕｒｅ  Ｐｈａｓｅ  Ｓｈｉｆｔ  Ｋｅｙｉｎｇ）、１６ＱＡＭ（Ｑｕａｄｒａｔｕｒｅ  Ａｍｐｌｉｔｕｄｅ  Ｍｏｄｕｌａｔｉｏｎ）、３２ＱＡＭ、６４ＱＡＭ、２５６ＱＡＭなどを用いる。
【００３０】
受信部１０４は、無線部１０１から送られてきた時間領域信号を周波数領域信号に変換し、復調部１０５に出力する。なお、時間領域信号から周波数領域信号への変換にはＦＦＴ（Ｆａｓｔ  Ｆｏｕｒｉｅｒ  Ｔｒａｎｓｆｏｒｍ）を利用する。復調部１０５は、受信部１０４からの入力に対して復調を行い、ＩＦ部７に出力する。復調は、変調に対応するものとする。ＩＦ部７は、図示していないネットワークに接続され、受信処理として、復調部１０５において復調した信号を図示していないネットワークに出力する。また、ＩＦ部７は、送信処理として、ネットワークからデータを入力し、これを変調部１０３に出力する。
【００３１】
制御部１０７は、基地局装置１全体のタイミングを制御する。また、制御部１０７は、図３（ａ）に示すＬＣＣＨを構成し、端末装置２に間欠送信する。レンジング処理部１１０は、図５のＳＣ１において、図３（ａ）のごとく、図示しない端末装置２への着信を通知するためのＰＣＨの後段に、本基地局装置１に関する情報を報知するためのＢＣＣＨを配置する。また、レンジング処理部１１０は、ＢＣＣＨの後段に、端末装置からのレンジング要求であるＴＣＣＨを受信すべきタイミングと、ＴＣＣＨに対応したＩＲＣＨを送信すべきタイミングとを配置する。また、レンジング処理部１１０は、以上のＰＣＨ、ＢＣＣＨ、ＴＣＣＨ、ＩＲＣＨ（以下、ＴＣＣＨとＩＲＣＨとの組合せもＩＲＣＨというが、ＩＲＣＨ単独の場合と区別せずに使用する）による組合せを周期的に８回繰り返すことによって、ＬＣＣＨのひとつの周期を形成する。
【００３２】
また、レンジング処理部１１０は、図３（ｂ）のごとく、一斉呼出エリア内の図示しない他の基地局装置１と共通のタイミングにてＰＣＣＨを報知する。また、レンジング処理部１１０は、図３（ｃ）のごとく、一斉呼出エリア内の他の基地局装置１と時分割多重されたタイミングにてＢＣＣＨの報知、ＴＣＣＨの受信、ＩＲＣＨの送信を実行する。つまり、レンジング処理部１１０は、ひとつの組合せにおいて、ＰＣＨ、ＢＣＨをそれぞれ１回報知し、ＴＣＣＨを１回受信し、ＩＲＣＨを１回送信する。
【００３３】
図９は、ＢＣＣＨのメッセージフォーマットの概念図である。ＢＣＣＨは、メッセージの種別を判別するメッセージ識別子と、論理制御チャネルの構造を規定するパラメータ、例えば、インターバル値、着信群分け、バッテリーセービング周期最大値などを表すＬＣＣＨ構造情報とを含む。図１０は、ＰＣＨのメッセージフォーマットの概念図である。ＰＣＨは、メッセージの種別を判別するメッセージ識別子と、着信があった端末装置の番号とを含む。端末装置２は、ＰＣＨにより着信があった旨の通知を受理すると、そのＰＣＨを送信した基地局装置１に対して初期レンジング要求を行う。図８に戻る。
【００３４】
レンジング処理部１１０は、端末装置２からのＴＣＣＨを受信すると、公知の技術によって、端末装置２の送信電力や送信タイミングを調節する。また、レンジング処理部１１０は、調節の結果が含まれたレンジング応答、例えば、ＩＲＣＨを送信するようなレンジング処理を複数回数繰り返し実行する。このような処理を詳しく説明するために、ここでは、図１１（ａ）−（ｂ）を使用する。図１１（ａ）−（ｂ）は、移動体通信システム２０において段階的な初期レンジングのタイムチャートを示す。ここで、説明の便宜上、フレームに対して前から順に番号を付与しており、フレーム１からフレーム９が「Ｆ１」から「Ｆ９」と示される。また、図面を明瞭にするために、図３（ｃ）に示された各フレームのうち、上り回線と下り回線のそれぞれの最初のタイムスロットのみが示されている。
【００３５】
ここで、図３（ｃ）や図１１（ａ）のごとく、レンジング処理部１１０は、端末装置２からのＴＣＣＨを初回に受信すべきタイミングを予め規定している。つまり、図３（ａ）−（ｃ）における組合せごとに、ＴＣＣＨを初回に受信すべきタイミングが、図示しないＢＣＣＨと対応づけられるように、図１１（ａ）のＦ１のごとく規定されている。さらに、レンジング処理部１１０は、ＩＲＣＨを送信すべきタイミングもＦ１にて規定する。一方、異なった基地局装置１であるＣＳ２がＴＣＣＨを初回に受信すべきタイミングは、Ｆ２のように規定されている。その結果、図示しない端末装置２は、Ｆ１あるいはＦ２を選択することによって、ＴＣＣＨの送信先となる基地局装置１を選択できる。また、レンジング処理部１１０は、各基地局装置１に対するＰＣＨ、ＢＣＣＨが周期的に割り当てられる周波数帯、つまり図５のＳＣ１において、ＴＣＣＨ初回に受信すべきタイミングおよびＩＲＣＨに送信すべきタイミングとを規定する。
【００３６】
ＴＣＣＨは、波形パターンとして複数種類規定されている。つまり、図６に示された複数のサブキャリアの中から、一部が選択されることによって波形パターンが規定され、選択されるサブキャリアが変わることによって、複数種類の波形パターンが規定される。そのため、レンジング処理部１１０は、複数の端末装置２から同時にＴＣＣＨを受信する場合であっても、それらの間の波形パターンが異なっていれば、複数の端末装置２を認識できる。つまり、ＴＣＣＨの衝突確率が低減される。なお、図示しない端末装置２は、複数種類規定された波形パターンの中のいずれかをＴＣＣＨの送信単位に選択する。その結果、同一の端末装置２から送信されるＴＣＣＨは、送信の都度、異なる場合もある。ここでは、図示しない端末装置２は、複数種類規定された波形パターンのうち、いずれかをランダムに選択する。
【００３７】
図１２は、初期レンジング要求の応答であるＩＲＣＨのメッセージフォーマットの概念図である。ＩＲＣＨは、メッセージの種別を判別するメッセージ識別子と、初期レンジング要求を行った送信元を識別するための情報と、送信元の識別情報を初回の初期レンジング要求と異なった値に変更するよう指示する送信元識別情報変更指示と、２回目のＴＣＣＨを送信すべきデータ転送用チャネル（以下、ＴＣＨ）を指定する情報（スロット番号およびサブチャネル番号）とを含む。ここで、ＴＣＨは、図５のＣＳ１以外のサブチャネルに相当する。また、後段では、通信に使用する通信チャネルもＴＣＨと示すが、これらを区別せずに使用する。送信元識別情報は、複数の端末装置２から同時に初期レンジング要求があった場合でも、基地局装置１が送信元識別情報に所定の演算を施すことで、これら複数の端末装置２を識別できるよう、予め規定された値である。図１１（ｂ）に戻る。
【００３８】
つまり、レンジング処理部１１０は、端末装置２からのＴＣＣＨを２回目以降に受信すべきタイミングを前回のレンジング応答、例えば、ＩＲＣＨにて規定する。また、レンジング処理部１１０は、各基地局装置１に対してＴＣＨとが適応的に割り当てられる周波数帯、例えば図５のＳＣ２からＳＣ１６において、ＴＣＣＨを２回目以降に受信すべきタイミングおよびレンジング応答を２回目以降に送信すべきタイミングとを規定する。図１１（ｂ）は、ＩＲＣＨによって指定されたサブチャネルでのタイムチャートに相当し、レンジング処理部１１０は、Ｆ３においてＴＣＣＨを受信し、レンジング応答としてＲＣＨを送信する。
【００３９】
図１３は、２回目の初期レンジング要求の応答であるレンジングチャネル（以下、ＲＣＨ）の概念図である。ＲＣＨは、メッセージの種別を判別するメッセージ識別子と、同期を合わせるための制御情報（タイミングアライメント制御と送信出力制御）と、無線リソース割当要求の開始時期を示すＳＣＣＨの送受信タイミングとを含む。端末装置２は、タイミングアライメント制御により時間のずれを、送信出力制御により送信電力を補正することにより、基地局装置１と同期を確立した後、無線リソース割当要求を行う。図１１（ｂ）に戻る。
【００４０】
図１１（ｂ）に示されたように、ＲＣＨにおいてＦ５およびＦ６でのＳＣＣＨが指定されたとする。図８の割当部１１２は、レンジング処理部１１０におけるレンジング処理の終了後、図示しない端末装置２からのＳＣＣＨを受信すると、当該端末装置２に対して通信チャネルＴＣＨを割り当てる。割当部１１２は、図１１（ｂ）のＦ６において、割当の結果をＳＣＣＨに含めて送信する。このように割当部１１２は、レンジング処理部１１０においてＢＣＣＨ、ＰＣＨ等を配置している周波数帯とは異なった周波数帯にて、ＩＲＣＨを送信した端末装置２に対するチャネル割当の処理を実行する。
【００４１】
図１４は、無線リソース割当要求の応答であるＳＣＣＨのメッセージフォーマットの概念図である。ＳＣＣＨは、メッセージの種別を判別するメッセージ識別子と、端末装置２に割り当てたサービスフローの識別子と、端末装置２に割り当てたＴＣＨを指定する情報（スロット番号およびサブチャネル番号）とを含む。図１に示す従来のＬＣＣＨを用いて初期レンジングおよびチャネル割当を行おうとすると、端末装置が初期レンジングを要求した別の基地局装置が初期レンジング応答を行ったり、初期レンジング動作と他の基地局装置のＴＣＨが衝突することがあったため、本実施の形態では、初期レンジング要求を段階的に処理することにし、初回の初期レンジング要求の応答までＬＣＣＨで応答し、それ以降の２回目の初期レンジング要求および無線リソース割当は、ＴＣＨで応答することとした。これにより、一度に複数の端末装置にチャネル割当を実施することができ、送信元識別情報を多数用意することがなくても、端末装置を的確に分離することができる。図１１（ｂ）に戻る。図１１（ｂ）に示されたように、ＳＣＣＨにおいてＦ８以降のＴＣＨが指定されたとする。制御部１０７は、割当部１１２におけるＴＣＨの割当後、端末装置２との通信を実行する。
【００４２】
図７に戻る。レンジング処理部１１０は、ＴＣＣＨを受信すべきタイミングにおいて、少なくともふたつ以上の種類の波形パターンを受信した場合に、ふたつ以上の端末装置２の存在を認識する。レンジング処理部１１０は、ふたつ以上の端末装置２の存在を認識した場合、ふたつ以上の端末装置２のそれぞれに対して、互いに異なった周波数帯、つまり互いに異なったサブチャネルを割り当てる。レンジング処理部１１０は、割り当てたサブチャネルに関する情報をＩＲＣＨに含めて送信する。なお、レンジング処理部１１０は、ふたつ以上の端末装置２の存在を認識した場合、それぞれに対して送信電力等を調節する。
【００４３】
以降の処理は、別のサブチャネルにおいて、並行に実行される。つまり、割当部１１２は、レンジング処理部１１０において割り当てたサブチャネルにて、ふたつ以上の端末装置２のそれぞれに対して、チャネルを割り当てるための処理を実行する。割当部１１２は、レンジング処理部１１０において認識したふたつ以上の端末装置２のそれぞれに対して別のＴＣＨを割り当てる。制御部１０７は、別のＴＣＨを割り当てたふたつ以上の端末装置２のそれぞれと通信する。
【００４４】
図１５は、本実施の形態における段階的な初期レンジング処理のタイミングチャートである。図中、Ｆ１からＦ９は１フレーム期間を表す。なお、ＴＣＣＨは、メッセージ識別子、送信元識別情報を含む初期レンジング要求である。以下、図１５を参照しながら段階的な初期レンジング処理およびチャネル割当処理の動作を説明する。端末装置ＰＳ１はＴＣＣＨに送信元識別情報ＵＩＤ「１」を、端末装置ＰＳ２は送信元識別情報ＵＩＤ「２」を格納し、フレームＦ１の上り期間に基地局装置ＣＳ１へ送信し、初回の初期レンジング要求を行う。基地局装置ＣＳ１は、重畳された端末装置ＰＳ１の送信元識別情報ＵＩＤと端末装置ＰＳ２の送信元識別情報ＵＩＤに所定の演算を行って分離し、空いているＴＣＨの中から端末装置ＰＳ１に通信チャネル１を、端末装置ＰＳ２に通信チャネル２を割り当てる。そして、割り当てたＴＣＨのスロット番号とサブチャネル番号をＩＲＣＨに格納し、フレームＦ１の下り期間に端末装置ＰＳ１と端末装置ＰＳ２へ送信する。
【００４５】
以下、端末装置ＰＳ１と端末装置ＰＳ２の動作は同じであるため、端末装置ＰＳ１を例にとり説明を行う。他基地局装置の論理制御チャネルとの衝突を避けるため、端末装置ＰＳ１は、フレームＦ２で待機をする。端末装置ＰＳ１は、送信元識別情報ＵＩＤ「１」をＴＣＣＨに格納し、割り当てられた通信チャネル１を用いて、フレームＦ３の上り期間に基地局装置ＣＳ１へ送信し、２回目の初期レンジング要求を行う。基地局装置ＣＳ１は、通信チャネル１を用いてレンジング処理を実行し、タイムアライメント制御と送信出力制御とＳＣＣＨの送受信タイミングとをＲＣＨに格納して、フレームＦ３の下り期間に端末装置ＰＳ１へ送信する。他基地局装置に対する初期レンジング要求との衝突を避けるため、端末装置ＰＳ１は、フレームＦ４で待機をする。端末装置ＰＳ１は、通信チャネル１を用いて、フレームＦ５の上り期間に基地局装置ＣＳ１に対して無線リソース割当要求を行う。
【００４６】
基地局装置ＣＳ１は、端末装置ＰＳ１からの無線リソース割当要求メッセージにＦＥＣ（Ｆｏｒｗａｒｄ  Ｅｒｒｏｒ  Ｃｏｌｌｅｃｔｉｏｎ）復号処理などを行ってから、端末装置ＰＳ１に空いているＴＣＨを割り当てる。ＦＥＣ復号処理には時間を要することから、割り当てたＴＣＨのスロット番号とサブチャネル番号をＳＣＣＨに格納し、フレームＦ６の下り期間に端末装置ＰＳ１へ送信する。ＦＥＣ復号処理を高速に行うことができれば、フレームＦ５の下り期間に端末装置ＰＳ１へＳＣＣＨを送信してもよい。基地局装置ＣＳ１のＦＥＣ処理に時間を要する場合、端末装置ＰＳ１は、フレームＦ５の上り期間に基地局装置ＣＳ１に対して行った無線リソース割当要求をフレームＦ６の上り期間に繰り返してもよい。基地局装置ＣＳ１がアダプティブアレイ処理を行っている場合、ウエイトベクトルの演算精度を向上させることができるからである。端末装置ＰＳ１は、基地局装置ＣＳ１からのＳＣＣＨに対してＦＥＣ復号処理などを行い、基地局装置ＣＳ１との同期をフレームＦ８で確立する。以降、同期を確立したＴＣＨを用いて、基地局装置ＣＳ１とデータの送受信を行う。
【００４７】
以上、複数の端末装置２から初期レンジング要求があった場合、それぞれの端末装置２に空いているＴＣＨを割り当て、２回目の初期レンジング処理以降を行う場合について説明したが、２回目の初期レンジング処理をひとつのＴＣＨで実現することも考えられる。図７に戻る。
【００４８】
なお、レンジング処理部１１０は、ふたつ以上の端末装置２の存在を認識した場合、ふたつ以上の端末装置２のそれぞれに対して、同一のサブチャネルにおける互いに異なったタイミングを割り当ててもよい。つまり、ふたつ以上の端末装置２のそれぞれにおけるＴＣＣＨ、ＲＣＨは、互いに異なったフレームに配置される。割当部１１２は、レンジング処理部１１０において割り当てたタイミングにて、ふたつ以上の端末装置２のそれぞれに対して、チャネルを割り当てるための処理を実行する。例えば、図示しないＰＳ１に対するＴＣＣＨ、ＲＣＨ、ＳＣＣＨが配置された後に、図示しないＰＳ２に対するＴＣＣＨ、ＲＣＨ、ＳＣＣＨが配置される。
【００４９】
図１６は、ひとつのＴＣＨで行う段階的な初期レンジング処理のタイミングチャートである。以下、図１５を参照しながらひとつのＴＣＨで行う段階的な初期レンジング処理およびチャネル割当処理の動作を説明する。端末装置ＰＳ１はＴＣＣＨに送信元識別情報ＵＩＤ「１」を、端末装置ＰＳ２は送信元識別情報ＵＩＤ「１」を格納し、フレームＦ１の上り期間に基地局装置ＣＳ１へ送信し、初回の初期レンジング要求を行う。基地局装置ＣＳ１は、重畳された端末装置ＰＳ１の送信元識別情報ＵＩＤと端末装置ＰＳ２の送信元識別情報ＵＩＤに所定の演算を行う。しかし、これらＵＩＤは同じであり分離できない。基地局装置ＣＳ１は、空いているＴＣＨの中から端末装置ＰＳ１と端末装置ＰＳ２に通信チャネル１を割り当てる。割り当てたＴＣＨのスロット番号とサブチャネル番号をＩＲＣＨに格納するとともに、送信元識別情報の変更指示を行い、フレームＦ１の下り期間に端末装置ＰＳ１と端末装置ＰＳ２へ送信する。
【００５０】
他基地局装置の論理制御チャネルとの衝突を避けるため、端末装置ＰＳ１と端末装置ＰＳ２は、フレームＦ２で待機をする。端末装置ＰＳ１は、送信元識別情報ＵＩＤ「１」をＴＣＣＨに格納し、割り当てられた通信チャネル１を用いて、フレームＦ３の上り期間に基地局装置ＣＳ１へ送信し、２回目の初期レンジング要求を行う。一方、送信元識別情報の変更指示を受理した端末装置ＰＳ２は、送信元識別情報ＵＩＤ「２」をＴＣＣＨに格納し、割り当てられた通信チャネル１を用いて、フレームＦ３の上り期間に基地局装置ＣＳ１へ送信し、２回目の初期レンジング要求を行う。
【００５１】
基地局装置ＣＳ１は、重畳された端末装置ＰＳ１の送信元識別情報ＵＩＤと端末装置ＰＳ２の送信元識別情報ＵＩＤに所定の演算を行ってこれらを分離する。そして、通信チャネル１を用いてレンジング処理を実行し、タイムアライメント制御と送信出力制御とＳＣＣＨの送受信タイミングとをＲＣＨに格納して、フレームＦ３の下り期間に端末装置ＰＳ１へ送信する。ここで、ＳＣＣＨの送受信タイミングは開始時期として「Ｔ５」を指定することにする。同じく、通信チャネル２を用いてレンジング処理を実行し、タイムアライメント制御と送信出力制御とＳＣＣＨの送受信タイミングとをＲＣＨに格納して、フレームＦ３の下り期間に端末装置ＰＳ２へ送信する。ここで、ＳＣＣＨの送受信タイミングは開始時期として「Ｆ７」を指定することにする。他基地局装置に対する初期レンジング要求との衝突を避けるため、端末装置ＰＳ１と端末装置ＰＳ２は、フレームＦ４で待機をする。
【００５２】
端末装置ＰＳ１は、通信チャネル１を用いて、フレームＦ５の上り期間に基地局装置ＣＳ１に対して無線リソース割当要求を行う。基地局装置ＣＳ１は、端末装置ＰＳ１からの無線リソース割当要求メッセージにＦＥＣ復号処理などを行ってから、端末装置ＰＳ１に空いているＴＣＨから通信チャネル２を割り当てる。ＦＥＣ復号処理には時間を要することから、割り当てたＴＣＨのスロット番号とサブチャネル番号をＳＣＣＨに格納し、フレームＦ６の下り期間に端末装置ＰＳ１へ送信する。ＦＥＣ復号処理を高速に行うことができれば、フレームＦ５の下り期間に端末装置ＰＳ１へＳＣＣＨを送信してもよい。
【００５３】
基地局装置ＣＳ１のＦＥＣ処理に時間を要する場合、端末装置ＰＳ１は、フレームＦ５の上り期間に基地局装置ＣＳ１に対して行った無線リソース割当要求をフレームＦ６の上り期間に繰り返してもよい。基地局装置ＣＳ１がアダプティブアレイ処理を行っている場合、ウエイトベクトルの演算精度を向上させることができるからである。端末装置ＰＳ１は、基地局装置ＣＳ１からのＳＣＣＨに対してＦＥＣ復号処理などを行い、基地局装置ＣＳ１との同期をフレームＦ８で確立する。以降、同期を確立したＴＣＨを用いて、基地局装置ＣＳ１とデータの送受信を行う。
【００５４】
一方、端末装置ＰＳ２は、通信チャネル１を用いて、フレームＦ７の上り期間に基地局装置ＣＳ１に対して無線リソース割当要求を行う。基地局装置ＣＳ１は、端末装置ＰＳ２からの無線リソース割当要求メッセージにＦＥＣ復号処理を行ってから、端末装置ＰＳ２に空いているＴＣＨを割り当てる。ＦＥＣ復号処理には時間を要することから、割り当てたＴＣＨのスロット番号とサブチャネル番号をＳＣＣＨに格納し、フレームＦ８の下り期間に端末装置ＰＳ２へ送信する。ＦＥＣ復号処理を高速に行うことができれば、フレームＦ７の下り期間に端末装置ＰＳ２へＳＣＣＨを送信してもよい。
【００５５】
基地局装置ＣＳ１のＦＥＣ処理に時間を要する場合、端末装置ＰＳ２は、フレームＦ８の上り期間に基地局装置ＣＳ１に対して行った無線リソース割当要求をフレームＦ８の上り期間に繰り返してもよい。基地局装置ＣＳ１がアダプティブアレイ処理を行っている場合、ウエイトベクトルの演算精度を向上させることができるからである。端末装置ＰＳ２は、基地局装置ＣＳ１からのＳＣＣＨに対してＦＥＣ復号処理を行い、基地局装置ＣＳ１との同期をフレームＦ９で確立する。以降、同期を確立したＴＣＨを用いて、基地局装置ＣＳ１とデータの送受信を行う。
【００５６】
この構成は、ハードウエア的には、任意のコンピュータのＣＰＵ、メモリ、その他のＬＳＩで実現でき、ソフトウエア的にはメモリにロードされた通信機能のあるプログラムなどによって実現されるが、ここではそれらの連携によって実現される機能ブロックを描いている。したがって、これらの機能ブロックがハードウエアのみ、ソフトウエアのみ、またはそれらの組合せによっていろいろな形で実現できることは、当業者には理解されるところである。
【００５７】
以上の構成による移動体通信システム２０の動作を説明する。図１７は移動体通信システム２０のＴＣＨ同期確立を示すシーケンス図である。基地局装置１は、端末装置２の端末番号を格納し、ページングエリアに属する他の基地局装置と一斉にＰＣＨを送信する（Ｓ１００）。基地局装置１は、予め定められたタイミングにてＢＣＣＨを送信する（Ｓ１０２）。ＰＣＨを受信した端末装置２は、ＰＣＨに自己の端末番号が含まれていると、ＢＣＣＨをもとに基地局装置１を特定した後に、ＴＣＣＨに送信元識別情報を格納し、基地局装置ＣＳ１へ送信して、初回の初期レンジング要求を行う（Ｓ１０４）。基地局装置ＣＳ１は、受信したＴＣＣＨより端末装置２の送信元識別情報ＵＩＤを分離し、端末装置２を空いているＴＣＨに割り当てる。そして、割り当てたＴＣＨのスロット番号とサブチャネル番号をＩＲＣＨに格納して端末装置２へ送信し、２回目の初期レンジングを行うＴＣＨを端末装置２に通知する（Ｓ１０６）。端末装置２は、送信元識別情報をＴＣＣＨに格納し、割り当てられた初期レンジング用のＴＣＨを用いて、基地局装置１へ送信し、２回目の初期レンジング要求を行う（Ｓ１０８）。
【００５８】
基地局装置１は、端末装置２に割り当てたＴＣＨを用いてレンジング処理を実行し、タイムアライメント制御と送信出力制御とＳＣＣＨの送受信タイミングとをＲＣＨに格納して、端末装置２へ送信し、送信出力などの補正を要求する（Ｓ１１０）。端末装置２は、受信したＲＣＨより基地局装置１から要求された補正値を抽出し、送信出力などの補正を行う。次に、割り当てられた初期レンジング用のＴＣＨを用いて基地局装置１に無線リソース割当要求を行う（Ｓ１１２）。基地局装置１は、端末装置ＰＳ１からの無線リソース割当要求メッセージにＦＥＣ復号処理などを行ってから、端末装置２に空いているＴＣＨを割り当てる。そして、割り当てたＴＣＨのスロット番号とサブチャネル番号をＳＣＣＨに格納し、端末装置２へ送信する（Ｓ１１４）。ここまでのステップによりＴＣＨの同期が確立するため、これ以降、基地局装置１と端末装置２は同期を確立したＴＣＨを用いて、データを送受信する（Ｓ１１６）。
【００５９】
図１８は、基地局装置１におけるＴＣＨ同期確立手順を示すフローチャートである。受信部１０４、復調部１０５を介して、レンジング処理部１１０がＴＣＣＨを受けつけなければ（Ｓ１０のＮ）、待機する。ＴＣＣＨを受けつけたとき（Ｓ１０のＹ）、ＴＣＣＨが複数種類の波形パターンでなければ（Ｓ１２のＮ）、レンジング処理部１１０は、周波数帯およびタイミングをＩＲＣＨにて指定する（Ｓ１４）。レンジング処理部１１０は、変調部１０３、送信部１０２を介して、ＩＲＣＨを送信する。受信部１０４、復調部１０５を介して再び受けつけたＴＣＣＨが、複数種類の波形パターンでなければ（Ｓ１６のＮ）、レンジング処理部１１０は、ＳＣＣＨの送受信タイミングをＲＣＨにて指定する（Ｓ１８）。レンジング処理部１１０は、変調部１０３、送信部１０２を介して、ＲＣＨを送信する。さらに、受信部１０４、復調部１０５を介して、ＳＣＣＨを受けつけると、割当部１１２は、ＳＣＣＨによるチャネルの割当を実行し（Ｓ２０）、変調部１０３、送信部１０２を介して、割当結果をＳＣＣＨとして送信する。その後、基地局装置１は、端末装置２との間においてＴＣＨによる通信を実行する（Ｓ２２）。
【００６０】
一方、受信部１０４、復調部１０５を介して再び受けつけたＴＣＣＨが、複数種類の波形パターンであれば（Ｓ１６のＹ）、レンジング処理部１１０は、受けつけた波形パターンごとに、時分割したＳＣＣＨの送受信タイミングをＲＣＨにて指定する（Ｓ２４）。レンジング処理部１１０は、変調部１０３、送信部１０２を介して、ＲＣＨを送信する。さらに、受信部１０４、復調部１０５を介して、ＳＣＣＨを受けつけると、割当部１１２は、ＳＣＣＨによるチャネルの割当を実行し（Ｓ２６）、変調部１０３、送信部１０２を介して、割当結果をＳＣＣＨとして送信する。なお、以上のＳＣＣＨによるチャネルの割当は、端末装置２の数に応じて時分割しながら、複数回数なされる。その結果、複数の端末装置２のそれぞれに対してチャネルが割り当てられる。その後、基地局装置１は、複数の端末装置２のそれぞれとの間においてＴＣＨによる通信を実行する（Ｓ２８）。
【００６１】
また、ＴＣＣＨが複数種類の波形パターンであれば（Ｓ１２のＹ）、レンジング処理部１１０は、受けつけた波形パターンごとに、異なった周波数帯をＩＲＣＨにて指定する（Ｓ３０）。レンジング処理部１１０は、変調部１０３、送信部１０２を介して、ＩＲＣＨを送信する。受信部１０４、復調部１０５を介して、各周波数帯において再び受けつけたＴＣＣＨが、複数種類の波形パターンでなければ（Ｓ３２のＮ）、レンジング処理部１１０は、ＳＣＣＨの送受信タイミングをＲＣＨにて指定する（Ｓ３４）。レンジング処理部１１０は、変調部１０３、送信部１０２を介して、ＲＣＨを送信する。さらに、受信部１０４、復調部１０５を介して、ＳＣＣＨを受けつけると、割当部１１２は、ＳＣＣＨによるチャネルの割当を実行し（Ｓ３６）、変調部１０３、送信部１０２を介して、割当結果をＳＣＣＨとして送信する。その後、基地局装置１は、複数の端末装置２のそれぞれとの間においてＴＣＨによる通信を実行する（Ｓ３８）。なお、ステップ３２からステップ３６は、複数の周波数帯にて並行に実行される。
【００６２】
一方、受信部１０４、復調部１０５を介して再び受けつけたＴＣＣＨが、複数種類の波形パターンであれば（Ｓ３２のＹ）、レンジング処理部１１０は、受けつけた波形パターンごとに、時分割したＳＣＣＨの送受信タイミングをＲＣＨにて指定する（Ｓ４０）。レンジング処理部１１０は、変調部１０３、送信部１０２を介して、ＲＣＨを送信する。さらに、受信部１０４、復調部１０５を介して、ＳＣＣＨを受けつけると、割当部１１２は、ＳＣＣＨによるチャネルの割当を実行し（Ｓ４２）、変調部１０３、送信部１０２を介して、割当結果をＳＣＣＨとして送信する。なお、以上のＳＣＣＨによるチャネルの割当は、端末装置２の数に応じて時分割しながら、複数回数なされる。その結果、複数の端末装置２のそれぞれに対してチャネルが割り当てられる。その後、基地局装置１は、複数の端末装置２のそれぞれとの間においてＴＣＨによる通信を実行する（Ｓ４４）。つまり、ステップ４０、ステップ４２は、複数の周波数帯のそれぞれにおいて時分割にてなされる。
【００６３】
図１９は、端末装置２におけるＴＣＨ同期確立手順を示すフローチャートである。端末装置２は、ＰＣＨにて着信を認識しなければ（Ｓ５０のＮ）、待機する。ＰＣＨにて着信を認識すれば（Ｓ５０のＹ）、端末装置２は、ＢＣＣＨにて基地局装置１を特定する（Ｓ５２）。端末装置２は、特定した基地局装置１にＴＣＣＨを送信する（Ｓ５４）。端末装置２は、基地局装置１からＩＲＣＨを受信する（Ｓ５６）。端末装置２は、ＴＣＣＨのパターンを変更し（Ｓ５８）、基地局装置１にＴＣＣＨを送信する（Ｓ６０）。端末装置２が、基地局装置１からＲＣＨを受信した（Ｓ６２）後、ＳＣＣＨによるチャネルの割当がなされる（Ｓ６４）。その後、端末装置２は、基地局装置１とＴＣＨにて通信する（Ｓ６６）。
【００６４】
このような本発明の実施の形態によれば、以下の通りの作用効果を享受することができる。
（１）制御部１０７は、ＰＣＨを同じページングエリアに属する基地局装置とともに一斉に送信し、ＢＣＣＨとＩＲＣＨを同じページングエリアに属する基地局装置と異なる送信タイミングで個別に送信してＬＣＣＨを構成しているため、従来のＬＣＣＨに比べ通基地局装置の捕捉に必要な時間を短縮することができる。
【００６５】
（２）制御部１０７は、複数の端末装置２から初回の初期レンジング要求があると、端末装置２ごとに空いているＴＣＨを割り当て、２回目の初期レンジング処理およびチャネル割当処理をその割り当てたＴＣＨを用いて行うため、一度に複数の端末装置にチャネル割当を実施するができる。
（３）制御部１０７は、複数の端末装置２から初回の初期レンジング要求があると、複数の端末装置２にひとつの空いているＴＣＨを割り当て、２回目の初期レンジング処理およびチャネル割当処理をその割り当てたＴＣＨを用いて行うため、一度に複数の端末装置にチャネル割当を実施するができる。
【００６６】
また、ＢＣＣＨ、ＰＣＨのような周期的な信号を割り当てる周波数帯であって、複数の基地局装置を時分割多重するような周波数帯に、初回のＴＣＣＨおよびＩＲＣＨを配置するので、ＴＣＣＨの衝突および他の基地局装置のＴＣＨとの衝突を回避できる。また、以上の配置によって、初期レンジング用専用サブチャネルを省略できる。また、初期レンジング用専用サブチャネルを省略するので、伝送効率を向上できる。また、初回のＴＣＣＨを割り当てるべきタイミングは、ＢＣＣＨの送信タイミングに対応づけられているので、送信先となる基地局装置を特定しながらＴＣＣＨを送信できる。また、送信先となる基地局装置を特定しながらＴＣＣＨが送信されるので、複数の基地局装置によるＴＣＣＨの受信処理を回避できる。
【００６７】
また、複数のレンジング処理を段階的に実行するので、ＴＣＣＨの多重処理に対応できる。また、複数のレンジング処理を段階的に実行するので、複数の端末装置にチャネルを割り当てることができる。また、チャネル割当処理を時分割多重にてスケジューリングするので、複数の端末装置にチャネルを割り当てることができる。また、チャネル割当処理を時分割多重にてスケジューリングするので、アダプティブアレイ送信を実行できる。
【００６８】
（第２の実施の形態）
第１の実施の形態では、図３に示すＬＣＣＨを構成し、制御部１０７は、端末装置２に、構成したＬＣＣＨを間欠的に送信していた。図３に示すＬＣＣＨは、従来のＬＣＣＨに比べ基地局装置の捕捉に必要な時間が短縮され、また、チャネル割当の所要時間も短縮されているが、重畳できるページングエリア数が制限されることがある。既存の第二世代コードレス電話システムを置きかえるための基地局装置であることを考慮すると、ページングエリア数の制限をうけたくない場合もある。そこで、第２の実施の形態では、ページングエリア数の制限をうけないＬＣＣＨを構成する。つまり、第２の実施の形態は、第１の実施の形態とは異なったタイプのＬＣＣＨを送信するような通信システムおよび基地局装置に関する。しかしながら、第２の実施の形態に係る移動体通信システム２０の構成は、図７と同様のタイプであり、第２の実施の形態に係る移動体通信システム２０の構成は、図８と同様のタイプである。そのため、ここでは、これらと異なる部分を中心に説明する。
【００６９】
レンジング処理部１１０は、図５のＳＣ１において、周期的に配置された報知信号の間のそれぞれに、図示しない端末装置２からのＴＣＣＨを受信すべきタイミングと、ＩＲＣＨを送信すべきタイミングとを配置する。ここで、報知信号として、前述のごとく、ＢＣＣＨと、ＰＣＨとのいずれかが配置される。例えば、ＢＣＣＨ、ＰＣＨ、ＰＣＨの組合せが繰り返し配置されている。その際、ＢＣＣＨとＰＣＨとの間、ＰＣＨとＰＣＨとの間、ＰＣＨとＢＣＣＨとの間に、上り回線のＴＣＣＨおよび下り回線のＩＲＣＨとが対になって配置される。このようなＬＣＣＨの構成のもと、端末装置２と基地局装置１との間における接続のための処理は、これまでと同様である。
【００７０】
レンジング処理部１１０は、ＢＣＣＨを受信した端末装置２からのＴＣＣＨを受信すると、送信電力等の調節を実行した後に、ＩＲＣＨを送信する。その際、レンジング処理部１１０は、ＳＣ１とは別のサブチャネルを指定する。レンジング処理部１１０は、ＢＣＣＨ、ＰＣＨ、初回のＴＣＣＨ、ＩＲＣＨを配置している周波数帯とは異なった周波数帯にＳＣＣＨを配置することによって、端末装置２に対するチャネル割当の処理を実行する。その後、制御部１０７は、ＴＣＨを使用しながら端末装置２と通信する。
【００７１】
図２０は、本発明の第２の実施の形態におけるＬＣＣＨの構成を示す図である。図２０に示すように論理制御チャネルは、４つのＢＣＣＨ、１２のＩＲＣＨ、８つのＰＣＨの合計２４のチャネルにより構成される。ＢＣＣＨとＩＲＣＨとＰＣＨは８つのフレームで構成される。なお、前述のごとく、ＩＲＣＨは、上り回線のＴＣＣＨと下り回線のＩＲＣＨとを含む。図２のＣＳ１は、フレームを構成するタイムスロットのうち、論理制御チャネルを割り当てたタイムスロット（図中、ＣＳ１と表示）で、ＢＣＣＨとＩＲＣＨとＰＣＨを８フレーム間隔で間欠的に送信する。図２のＣＳ２は、基地局装置１が送信した次のフレーム（図中、第２フレーム）のタイムスロットのうち、基地局装置１が利用しているタイムスロットとフレーム先頭からの位置が同じタイムスロット（図中、ＣＳ２と表示）で、ＢＣＣＨとＩＲＣＨとＰＣＨを８フレーム間隔で間欠的に送信する。このような構成により、フレームを構成する下り４つのタイムスロットごとに、８つの基地局装置、最大３２基地局装置まで多重することができる。
【００７２】
図２１は、本発明の第１の実施の形態と第２の実施の形態との比較結果を示す。ここでは、現行の第二世代コードレス電話システム、第２の実施の形態、第１の実施の形態とを比較する。ＬＣＣＨ周期、送信周期、ＢＣＣＨ送信周期、ＰＣＨ受信周期、ＳＣＣＨ／ＩＲＣＨ送受信周期のそれぞれは、第二世代コートレス電話システムにおいて、「１２００ｍｓ」、「１００ｍｓ」、「１２００ｍｓ」、「１２００ｍｓ」、「３００ｍｓ」となっている。一方、それらは、第２の実施の形態において、「９６０ｍｓ」、「４０ｍｓ」、「２４０ｍｓ」、「９６０ｍｓ」、「８０ｍｓ」であり、第１の実施の形態において、「６８０ｍｓ」、「８５ｍｓ」、「８５ｍｓ」、「６８０ｍｓ」、「８５ｍｓ」となっている。
【００７３】
これらのうち、ＢＣＣＨ送信周期が短くなれば、基地局補足時間の短縮が実現される。また、ＢＣＣＨ送信周期、ＰＣＣＨ受信周期、ＳＣＣＨ／ＩＲＣＨ送受信周期の短さおよび配置によって、ＰＣＨ着信応答時間の短縮が実現される。その結果、基地局補足時間、ＰＣＨ着信応答時間は、第二世代コードレス電話システムにおいて、「１２００ｍｓ」、「１００−５００ｍｓ」である。一方、それらは、第２の実施の形態において、「９６０ｍｓ」、「４０ｍｓ」であり、第１の実施の形態において、「８５ｍｓ」、「４５−８５ｍｓ」である。つまり、第１の実施の形態および第２の実施の形態における基地局補足時間、ＰＣＨ着信応答時間は、第二世代コードレス電話システムでの値と比較して、短縮されている。これは、レスポンス性の向上ともいえる。
【００７４】
図２０に示すＬＣＣＨと図１に示す従来のＬＣＣＨとを比較すると、ＢＣＣＨ送信周期は２４０ｍｓであり、基地局装置の捕捉に必要な時間が短縮されている。また、ＩＲＣＨの送受信周期は８０ｍｓであり、チャネル割当の所要時間も短縮されている。このため、従来のＬＣＣＨを用いるのに比べ、通話開始に要する時間を改善することができる。また、図２０に示すＬＣＣＨと図３に示すＬＣＣＨとを比較すると、基地局装置の捕捉に必要な時間は図３に示すＬＣＣＨの方が短いが、チャネル割当の所要時間は、図２０に示すＬＣＣＨの方が短く、チャネル割当の所要時間を改善する点では、有利である。また、図３では、ページングエリアごとに利用するタイムスロットの位置が決まっているが、図２０ではそのような制限はなく、ページングエリア数の制限を受けたくない場合は有利である。
【００７５】
このような本発明の実施の形態によれば、以下の通りの作用効果を享受することができる。
（４）制御部１０７は、ＳＣＣＨをひとつおきに送信するとともに、ＳＣＣＨを送信しないタイミングでは、ＢＣＣＨ、ＰＣＨ、ＰＣＨの順に繰り返し送信してＬＣＣＨを構成するため、従来のＬＣＣＨに比べチャネル割当の所要時間を短縮することができる。
【００７６】
また、ＢＣＣＨやＰＣＨといった報知信号の間に初回のＴＣＣＨやＩＲＣＨを配置するので、初回のＴＣＣＨやＩＲＣＨの送受信間隔を短縮できる。また、初回のＴＣＣＨやＩＲＣＨの送受信間隔が短縮されるので、ＰＣＨにて着信を認識してから、通信を介するまでの期間を短縮できる。また、ＰＣＨにて着信を認識してから、通信を介するまでの期間が短縮されるので、着信に対するレスポンス性を向上できる。また、初回のＴＣＣＨやＩＲＣＨの送受信間隔が短縮されるので、チャネル割当の高速化を実現できる。
【００７７】
（第３の実施の形態）
第１の実施の形態では、図１７で基地局装置１との間で同期を確立してデータの送受信を開始した後、通信容量の増加等の理由で、端末装置２が無線リソースの追加を希望することがある。このとき、端末装置２が特定のサブチャネルにおける時間軸方向に連続したサブチャネルブロックを割り当てて欲しくても、端末装置２は利用可能な無線リソースを把握できていないので、所望の無線リソースを利用できるとは限らない。このような場合、基地局装置１が管理する無線リソースのうち、利用可能な無線リソースを端末装置２に予め通知しておけば、端末装置２は利用可能な無線リソースから所望の無線リソースを選択することができる。
【００７８】
そこで、第３の実施の形態では、利用可能な無線リソースを端末装置２に通知するメッセージ（以下、リソースメッセージ）を設け、基地局装置１が管理する無線リソースのうち、利用可能な無線リソースを端末装置２で把握できるようにした。第３の実施の形態に係る移動体通信システム２０の構成は、図７と同様のタイプであり、第３の実施の形態に係る移動体通信システム２０の構成は、図８と同様のタイプである。そのため、ここでは、これらと異なる部分を中心に説明する。
【００７９】
図２２（ａ）ではリソースメッセージとして、メッセージ識別子、相対位置情報、リソースマップを含めている。リソースメッセージは同期を確立したＴＣＨを用いて基地局装置１から端末装置２に送信する。例えば、図６に示すシグナルシンボルに含めて送信してもよく、データシンボルの上位プロトコルヘッダー情報（ＭＡＣヘッダーなど）に含めて送信してもよい。効率を考慮し、１つのリソースメッセージで１フレーム内の全てのサブチャネルブロックを管理するのではなく、所定のエリア単位に分割して、エリア単位で利用可能な無線リソースを管理する。以下では、説明の便宜上、４つのサブチャネルごとにエリアを分割するが、５つ以上に分割してもいいし、３つ以下に分割して管理してもよい。
【００８０】
相対位置情報は管理エリアにおいて、同期を確立したＴＣＨが相対的にどの位置に存在するか示す情報である。相対位置情報を利用すれば、管理エリアを固定ではなく可変移動することができる。これにより、他基地局装置が無線リソースを使用しており無線リソースが逼迫しているため追加の無線リソースを割り当てることができない、という状況を回避することができる。リソースマップは、図２２（ｂ）に示すように、エリアを構成するサブチャネルブロックのうち、利用可能なサブチャネルブロックをビットマップ形式で示す。
【００８１】
図２３は、同期を確立したＴＣＨとリソースマップが管理するエリアとの関係を示す概念図である。図２３では、端末装置２が第３タイムスロットの第１２サブチャネルのサブチャネルブロックで同期を確立してデータ送受信を行っている場合、基地局装置１から送信されるリソースメッセージの管理エリアを２点鎖線の囲み（図中、１９０１で表示）で示している。図２２の相対位置情報により、端末装置２は図２３の管理エリアの「＃１１」に位置することを把握する。また、リソースマップにより、管理エリアを構成するサブチャネルのうち、「＃３」（第３タイムスロットの第１４サブチャネル）および「＃７」（第３タイムスロットの第１３サブチャネル）のサブチャネルブロック（図中、１点鎖線の囲み１９０２で表示）が利用可能であることを把握する。このようにして、端末装置２は、同期を確立したＴＣＨの周辺サブチャネルブロックのうち、利用可能な無線リソースを把握することができ、希望する無線リソースを獲得することで効率的な伝送を行うことができる。
【００８２】
図２４は、リソースメッセージを用いた場合における移動体通信システム２０の動作を示すシーケンス図である。基地局装置１は端末装置２とＴＣＨ同期を確立したのち（Ｓ２００）、端末装置２へリソースメッセージを送信する（Ｓ２０１）。端末装置２は、受信したリソースメッセージより相対位置情報、リソースマップを抽出し、同期を確立したＴＣＨ周辺における、利用可能なサブチャネルブロックを把握し、ＴＣＨの追加割当を希望するサブチャネルブロックを選択する（Ｓ２０２）。選択したサブチャネルブロックにより基地局装置１との間でＴＣＨ同期を確立し（Ｓ２０３）、以降、データの送受信を行う。
【００８３】
このような本発明の実施の形態によれば、以下の通りの作用効果を享受することができる。
（５）制御部１０７は、同期を確立したＴＣＨ周辺のエリア内で利用可能な無線リソースの情報をビットマップ形式で送信し、かつこのエリアは可変移動できるため、同期を確立したＴＣＨ周辺の無線リソースが逼迫しているため無線リソースを割り当てることができない、という状況を回避することができ、伝送効率を向上させることができる。
【００８４】
以上、本発明を実施するための最良の形態について説明をしてきたが、本発明は、この実施の形態の構成に限定されるものではなく、特許請求の範囲に規定された本発明の適用範囲にあり、上述した実施の形態の構成が備える機能を達成可能であれば、いろいろな変形が可能である。
【００８５】
例えば、本発明の第１の実施の形態において複数の端末装置２からレンジング要求があったとき、それぞれの端末装置２にＴＣＨを割り当てて段階的な初期レンジングを行う場合と、複数の端末装置２に対してひとつのＴＣＨを割り当てて段階的な初期レンジングを行う場合を説明したが、これらを組み合わせて実行してもよい。
【００８６】
本発明の実施の形態１から３において、レンジング処理部１１０は、ＴＣＣＨを受信した後に、ＩＲＣＨやＲＣＨのようなレンジング応答を送信するというレンジング処理を２回繰り返している。しかしながらこれに限らず例えば、レンジング処理部１１０は、レンジング処理を３回以上繰り返してもよい。本変形例によれば、ＴＣＣＨが完全に同一の波形パターンになる確率を低減でき、複数の端末装置２の分離精度を向上できる。
【図面の簡単な説明】
【００８７】
【図１】従来の第二世代コードレス電話システムにおける論理制御チャネルの構成を示す図である。
【図２】本発明の第１の実施の形態に係るページングエリアの構成を示す図である。
【図３】図３（ａ）−（ｃ）は、本発明の第１の実施の形態における論理制御チャネルの構成を示す図である。
【図４】図３（ａ）−（ｃ）におけるＴＤＭＡフレームの構成を示す図である。
【図５】図４におけるＯＦＤＭＡサブチャネルの構成を示す図である。
【図６】図５におけるサブチャネルブロックの構成を示す図である。
【図７】本発明の第１の実施の形態に係る移動体通信システムの構成を示す図である。
【図８】図７の基地局装置の構成を示す図である。
【図９】図８の基地局装置から送信されるＢＣＣＨのメッセージフォーマットを示す図である。
【図１０】図８の基地局装置から送信されるＰＣＨのメッセージフォーマットを示す図である。
【図１１】図１１（ａ）−（ｂ）は、図７の通信システムにおいて段階的な初期レンジングのタイムチャートを示す。
【図１２】図８の基地局装置から送信されるＩＲＣＨのメッセージフォーマットを示す図である。
【図１３】図８の基地局装置から送信されるＲＣＨのメッセージフォーマットを示す図である。
【図１４】図８の基地局装置から送信されるＳＣＣＨのメッセージフォーマットを示す図である。
【図１５】図１５（ａ）−（ｃ）は、図７の通信システムにおいて複数のＴＣＨを用いた段階的な初期レンジングのタイムチャートを示す図である。
【図１６】図１６（ａ）−（ｃ）は、図７の通信システムにおいてひとつのＴＣＨを用いた段階的な初期レンジングのタイムチャートを示す図である。
【図１７】図７の通信システムにおけるＴＣＨ同期確立手順を示すシーケンス図である。
【図１８】図８の基地局装置におけるＴＣＨ同期確立手順を示すフローチャートである。
【図１９】図７の端末装置におけるＴＣＨ同期確立手順を示すフローチャートである。
【図２０】本発明の第２の実施の形態における論理制御チャネル構成を示す図である。
【図２１】本発明の第１の実施の形態と第２の実施の形態との比較結果を示す図である。
【図２２】図２２（ａ）−（ｂ）は、本発明の第３の実施の形態におけるリソースメッセージのフォーマットを示す図である。
【図２３】本発明の第３の実施の形態における同期を確立したＴＣＨとリソースメッセージが管理するエリアとの関係を示す図である。
【図２４】本発明の第３の実施の形態におけるリソースメッセージ用いた場合の動作手順を示すシーケンス図である。
【符号の説明】
【００８８】
１  基地局装置、  ２  端末装置、  ２０  移動体通信システム、  １００  アンテナ、  １０１  無線部、  １０２  送信部、  １０３  変調部、  １０４  受信部、  １０５  復調部、  １０６  ＩＦ部、  １０７  制御部、  １１０  レンジング処理部、  １１２  割当部。
【図１】
2008294489.tif 000003
【図２】
2008294489.tif 000004
【図３】
2008294489.tif 000005
【図４】
2008294489.tif 000006
【図５】
2008294489.tif 000007
【図６】
2008294489.tif 000008
【図７】
2008294489.tif 000009
【図８】
2008294489.tif 000010
【図９】
2008294489.tif 000011
【図１０】
2008294489.tif 000012
【図１１】
2008294489.tif 000013
【図１２】
2008294489.tif 000014
【図１３】
2008294489.tif 000015
【図１４】
2008294489.tif 000016
【図１５】
2008294489.tif 000017
【図１６】
2008294489.tif 000018
【図１７】
2008294489.tif 000019
【図１８】
2008294489.tif 000020
【図１９】
2008294489.tif 000021
【図２０】
2008294489.tif 000022
【図２１】
2008294489.tif 000023
【図２２】
2008294489.tif 000024
【図２３】
2008294489.tif 000025
【図２４】
2008294489.tif 000026